(57)【要約】【課題】特定の側の外部にしかサービススペースを確保することができない場合においても高いサービス性を備える空気調和機の室外機を提供する。【解決手段】空気調和機を構成する熱交換器（１１６）を備える室外機（１００）であって、電気部品を収容する電気ボックス（６０１）、冷媒アセンブリ（６０２）、ワイヤーハーネス（６０３）及び端子台（６０４）が一体化されてなるサービス用モジュール（７００）を備え、前記サービス用モジュールは、前記室外機の少なくとも１つの側面から前記室外機の外部に引き出すことが可能であるように構成される。前記サービス用モジュールは、前記サービス用モジュールの底部に設けられた車輪（７０１）又は前記サービス用モジュールと前記室外機の筐体とを摺動可能に係合する摺動部材（７０２）を備え得る。【選択図】図１
2017044459.tif 000002
【特許請求の範囲】
【請求項１】
空気調和機を構成する熱交換器を備える室外機であって、
電気部品を収容する電気ボックス、冷媒アセンブリ、ワイヤーハーネス及び端子台が一体化されてなるサービス用モジュールを備え、
前記サービス用モジュールは、前記室外機の少なくとも１つの側面から前記室外機の外部に引き出すことが可能であるように構成された、
空気調和機の室外機。
【請求項２】
請求項１に記載の空気調和機の室外機であって、
前記サービス用モジュールは、前記サービス用モジュールの底部に設けられた車輪又は前記サービス用モジュールと前記室外機の筐体とを摺動可能に係合する摺動部材を備える、
空気調和機の室外機。
【発明の詳細な説明】
【技術分野】
【０００１】
本発明は、空気調和機の室外機に関する。より詳しくは、本発明は、より高いサービス性を有する空気調和機の室外機に関する。
【背景技術】
【０００２】
従来技術に係る空気調和機の室外機においては、冷却側ユニット及び凝縮水ユニット等を一体化する等して、圧縮機、冷媒部品及び電気部品等のメンテナンス及び／又はサービスのためのスペース（以降、「サービススペース」と称呼する場合がある。）を室外機内に確保している。上記メンテナンス及び／又はサービスをより容易なものとするためには、当該スペースをより大きくする必要があり、そのためには室外機の外観寸法をより大きくする必要がある。
【０００３】
一方では、室外機の小型化の要求も高まっていることからサービススペースを室外機内に確保することが困難となってきており、サービススペースを室外機外に確保する必要がある。しかしながら、特に、複数の室外機を並べて配置する場合等においては、室外機の背面（後面）側及び側面側にサービススペースを確保することは困難であり、室外機の前面側だけにしかサービススペースを確保することができないことが多い。
【０００４】
上記のように室外機の特定の側だけにしかサービススペースを確保することができない場合、サービススペースに面している構成要素（圧縮機、冷媒部品及び電気部品等）については、例えば、外装パネルを外すだけでメンテナンス及び／又はサービスを容易に行うことができる。しかしながら、サービススペースに面していない構成要素についてメンテナンス及び／又はサービスを行うためには、その手前（即ち、当該構成要素よりもサービススペース側）に配置されている他の構成要素を取り外すことが必須である。
【０００５】
上記のような課題に対処するため、当該技術分野においては、サービススペースに面する位置に電気部品を配置して、そのメンテナンス及び／又はサービスをより容易なものとすることが提案されている（例えば、特許文献１を参照）。
【先行技術文献】
【特許文献】
【０００６】
【特許文献１】実開昭６０−８３８２０号公報
【発明の概要】
【発明が解決しようとする課題】
【０００７】
上述したように、メンテナンス及び／又はサービスを行う頻度が高い構成要素（例えば、電気部品）をサービススペースに面する位置に配置することにより、当該構成要素についてはメンテナンス及び／又はサービスの行い易さ（以降、「サービス性」と総称する場合がある。）を高めることができる。
【０００８】
しかしながら、サービススペースに面する位置に配置されていない構成要素についてメンテナンス及び／又はサービスを行うためには、その手前にある他の構成要素を取り外す必要がある。他の構成要素を取り外す際には、当該構成要素のみならず、当該構成要素に接続された各種ワイヤー（配線）及び／又は冷媒配管等をも取り外したり切断したりする必要がある場合がある。更に、修理又は交換を経た構成要素を再び取り付ける際には、上記のように取り外したり切断したりした各種ワイヤー（配線）及び／又は冷媒配管等を復旧させる必要がある。これらの事情は、メンテナンス及び／又はサービスに必要とされる労力を増大させる要因となる。このように、サービススペースに面する位置に配置されていない構成要素については、依然としてサービス性が低いままである。
【０００９】
加えて、サービス性の向上に好適な構成要素の配置と、室外機の性能の向上及び／又は製造コストの削減という観点から望ましい構成要素の配置とは、必ずしも一致しない。このような場合、サービス性の向上に好適な構成要素の配置を採用することにより、例えば室外機の性能の低下及びコストの増大等の問題を招く虞もある。
【００１０】
上記のように、当該技術分野においては、特定の側の外部にしかサービススペースを確保することができない場合においても高いサービス性を備える空気調和機の室外機に対する継続的な要求が存在する。
【課題を解決するための手段】
【００１１】
本発明は、上記課題に対処することを１つの目的として為されたものである。即ち、本発明は、特定の側の外部にしかサービススペースを確保することができない場合においても高いサービス性を備える空気調和機の室外機を提供することを１つの目的とする。
【００１２】
上記に鑑み、本発明に係る空気調和機の室外機（以降、「本発明室外機」と称呼される場合がある。）は、
空気調和機を構成する熱交換器を備える室外機であって、
電気部品を収容する電気ボックス、冷媒アセンブリ、ワイヤーハーネス及び端子台が一体化されてなるサービス用モジュールを備え、
前記サービス用モジュールは、前記室外機の少なくとも１つの側面から前記室外機の外部に引き出すことが可能であるように構成された、
空気調和機の室外機である。
【００１３】
上記のように、本発明室外機においては、電気部品を収容する電気ボックス、冷媒アセンブリ、ワイヤーハーネス及び端子台が１つのモジュール（サービス用モジュール）として一体化されている。加えて、当該モジュールは、当該室外機の少なくとも１つの側面から本発明室外機の外部に引き出すことが可能であるように構成されている。
【００１４】
尚、本発明室外機の少なくとも１つの側面から本発明室外機の外部へと上記サービス用モジュールを引き出すことが可能な構成は、特に限定されないが、その具体例としては、例えば、当該モジュールの底部に車輪を設けた構成及び当該モジュールと当該室外機の筐体とを摺動可能に係合する摺動部材（例えば、レール等）を備える構成等を挙げることができる。当然のことながら、これら両方の特徴を兼ね備えた構成を採用することもできる。逆に、本発明室外機の少なくとも１つの側面から本発明室外機の外部へと上記サービス用モジュールを引き出すことが可能である限りにおいて、上記のような特段の機構（例えば車輪及びレール等）を備えない構成とすることもできる。
【発明の効果】
【００１５】
上記のように、本発明室外機においては、電気部品を収容する電気ボックス、冷媒アセンブリ、ワイヤーハーネス及び端子台が一体化されてなるサービス用モジュールを室外機の外部に引き出すことができる。例えば、上述したように室外機の前面にサービススペースを確保することができる場合は、上記モジュールを室外機の前面側の側面から引き出すことができるように構成され得る。
【００１６】
上記によれば、上記サービス用モジュールを室外機の外部に引き出すことにより、サービススペースに面していない構成要素についても、従来技術に係る室外機のようにその手前にある構成要素を取り外すこと無く、メンテナンス及び／又はサービスを行うことができる。即ち、本発明に係る空気調和機の室外機は、特定の側の外部にしかサービススペースを確保することができない場合においても、高いサービス性を備える。
【００１７】
本発明の他の目的、他の特徴及び付随する利点は、以下の図面を参照しつつ記述される本発明の各実施形態についての説明から容易に理解されるであろう。
【図面の簡単な説明】
【００１８】
【図１】本発明の１つの実施態様に係る空気調和機の室外機（第１室外機）の正面図である。
【図２】第１室外機の平面図（上面図）である。
【図３】第１室外機の左側面図である。
【図４】第１室外機が備えるサービス用モジュールの右側面図である。
【図５】第１室外機が備えるサービス用モジュールを右下から見た斜視図である。
【図６】第１室外機においてサービススペースに面する位置に配置されていない構成要素についてメンテナンスを行う様子を示す模式図である。
【図７】従来技術に係る室外機においてサービススペースに面する位置に配置されていない構成要素についてメンテナンスを行う様子を示す模式図である。
【図８】第１室外機の変形例を示す模式図である。
【発明を実施するための形態】
【００１９】
＜第１実施形態＞
以下、図面を参照しながら本発明の第１実施形態に係る空気調和機の室外機（以下、「第１室外機」と称呼される場合がある。）について説明する。
【００２０】
（１）第１室外機の基本構成
第１室外機を備える空気調和機は一般的なガスエンジンヒートポンプエアコンである。従って、第１室外機は、図１乃至図４に示すように、基本的には一般的なガスエンジンヒートポンプエアコンが備える室外機と同様の構成を有する。
【００２１】
更に、この例に示す第１室外機を備える空気調和機は、発電機を備える高出力（ハイパワー）型のヒートポンプエアコンである。従って、第１室外機は、図１に示すように、コンバータ１０２、発電機ベルト１１１及び発電機１１２を備える。加えて、第１室外機には、臭気低減仕様及び寒冷地仕様としてのオプションが適用されている。即ち、第１室外機は、図１に示すように、臭気触媒２０２、排気ドレンヒータ２０４及びエンジンオイルパンヒータ２０６をも備える。
【００２２】
但し、本発明に係る室外機が適用される空気調和機の構成は上記に限定されず、本発明に係る室外機は、種々の構成を有する様々な空気調和機に適用することができる。尚、上記のようなオプションを含む一般的なガスエンジンヒートポンプエアコン及びその室外機の構成については当業者に周知であるので、以下の説明においては、一般的なガスエンジンヒートポンプエアコンの室外機とは異なる第１室外機の特徴的な部分であるサービス用モジュールに着目して詳しく説明する。
【００２３】
（２）サービス用モジュールの構成
第１室外機においてサービス用モジュールが占める領域は、図１及び図３において太い破線で描かれた四角形によって囲まれた領域（７００）である。更に、図４は、第１室外機が備えるサービス用モジュール７００の右側面図である。これらの図面からも明らかであるように、この領域には、第１室外機を構成する電気ボックス６０１、冷媒アセンブリ６０２、ワイヤーハーネス６０３及び端子台６０４が集約されている。
【００２４】
電気ボックス６０１は、例えば、第１室外機１００及び／又は第１室外機を備える空気調和機（図示せず）の各種動作を制御する制御ユニットの少なくとも一部を構成する電気部品を収容する部分である。冷媒アセンブリ６０２は、例えば、オイルセパレータ５０２及びアキュムレータ５０６に加えて、冷媒配管及び各種制御弁等を含む冷媒を循環させるための種々の部品の集成体を指す。ワイヤーハーネス６０３は、第１室外機１００を備える空気調和機における電源供給及び／又は信号通信に用いられる複数の電線（ワイヤー）を束にして集合部品としたものである。端子台６０４は、第１室外機１００を備える空気調和機における電線の接続、分岐及び／又は中継のために複数の端子を纏めて集合部品としたものである。
【００２５】
サービス用モジュール７００においては、上記のように電気ボックス６０１、冷媒アセンブリ６０２、ワイヤーハーネス６０３及び端子台６０４が集約されているのみならず、これらが一体化されている。具体的には、第１室外機１００のサービス用モジュール７００においては、図４に示すように、冷媒アセンブリ６０２、ワイヤーハーネス６０３及び端子台６０４が載置された台板１６０と、電気ボックス６０１と、が一体化されている（図４及び図５に示した白抜きの矢印を参照。）。
【００２６】
更に、図１、図３及び図４からも明らかであるように、サービス用モジュール７００は、第１室外機１００の正面から外部に引き出すことが可能であるように構成される。即ち、第１室外機１００において、サービススペースは、その正面側に存在する。但し、サービススペースは室外機の正面側に限定されるものではなく、サービススペースが存在する側に応じてサービス用モジュールが引き出される方向を定めることが可能であることは言うまでも無い。
【００２７】
ところで、サービス用モジュール７００に含まれる構成要素とサービス用モジュール７００に含まれない構成要素との各種接続（例えば、配線及び配管等）の形態によっては、サービス用モジュール７００を第１室外機１００から外部に引き出すことが困難となる場合がある。従って、上記接続は、サービス用モジュール７００を第１室外機１００から引き出す際のサービス用モジュール７００と第１室外機１００との位置関係の変化に対応可能な寸法的な余裕及び／又は可動範囲を有するように構成され得る。この場合、サービス用モジュール７００を第１室外機１００から引き出した後に、必要に応じて上記接続を取り外すことができる。或いは、上記接続は、サービス用モジュール７００を第１室外機１００から引き出す前に容易に取り外すことが可能であるように構成され得る。
【００２８】
何れにせよ、メンテナンス及び／又はサービスの完了後の第１室外機１００の復旧を容易なものとする観点からは、上記接続は、着脱自在に構成されていることが望ましい。しかしながら、例えば冷媒用の配管等、高い気密性が求められる接続については、着脱自在に構成することが困難である場合がある。このような場合においても、例えば電気的接続等、その他の接続だけでも着脱自在に構成することにより、ある程度はンテナンス及び／又はサービスの完了後の第１室外機１００の復旧を容易なものとすることができる。
【００２９】
（３）第１室外機におけるサービス性
次に、上記のような構成を有する第１室外機１００においてサービススペースに面する位置に配置されていない構成要素（本例においてはオイルセパレータ５０２）のサービス性につき、従来技術に係る室外機と比較する。
【００３０】
図７は、前述したように、従来技術に係る室外機１００′においてサービススペースに面する位置に配置されていない構成要素についてメンテナンスを行う様子を示す模式図である。図７の（ａ）に示すように、室外機１００′においては、サービススペース側から順に、電気ボックス６０１、アキュムレータ５０６及びオイルセパレータ５０２が配置されているものの、これらは室外機１００′の筐体内にそれぞれ固定されており、外部に引き出すことができない。
【００３１】
従って、オイルセパレータ５０２をメンテナンスする場合、図７の（ｂ）に示すように、サービススペースに面する外装パネル１５０′を外しても、オイルセパレータ５０２の手前には電気ボックス６０１及びアキュムレータ５０６が存在するため、オイルセパレータ５０２に到達することができない。このため、室外機１００′においてオイルセパレータ５０２をメンテナンスするためには、図７の（ｃ）に示すように、その手前に存在する電気ボックス６０１及びアキュムレータ５０６並びにこれらの構成要素に付随する各種接続を取り外すことが必須である。即ち、従来技術に係る室外機１００′においては、特定の側の外部にしかサービススペースを確保することができない場合、十分なサービス性を発揮することが困難である。尚、図７の（ｃ）における工具８００（例えば、レンチ）の表示は、オイルセパレータ５０２に対するメンテナンスの実行を表す。
【００３２】
上記のような従来技術に係る室外機１００′に対し、第１室外機１００においては、上述したように、サービススペースに面する側面（この例においては正面）からサービス用モジュール７００を外部に引き出すことが可能である。従って、図６の（ａ）に示すように、第１室外機１００においても、従来技術に係る室外機１００′と同様に、サービススペース側から順に、電気ボックス６０１、アキュムレータ５０６及びオイルセパレータ５０２が配置されているにも拘わらず、サービススペースに面する位置に配置されていない構成要素についても十分なサービス性を発揮することができる。
【００３３】
より具体的には、第１室外機１００においてオイルセパレータ５０２をメンテナンスする場合、図６の（ｂ）に示すように、サービススペースに面する外装パネル１５０を外しただけでは、従来技術に係る室外機１００′と同様に、オイルセパレータ５０２の手前には電気ボックス６０１及びアキュムレータ５０６が存在するため、オイルセパレータ５０２に到達することができない。しかしながら、第１室外機１００においては、図６の（ｃ）に示すように、サービススペースに面する側面（この例においては正面）からサービス用モジュール７００を外部に引き出すことが可能である。その結果、第１室外機１００においては、手前に存在する電気ボックス６０１及びアキュムレータ５０６並びにこれらの構成要素に付随する各種接続を取り外すこと無く、オイルセパレータ５０２をメンテナンスすることが可能である。尚、図６の（ｃ）における工具８００（例えば、レンチ）の表示は、図７の（ｃ）と同様に、オイルセパレータ５０２に対するメンテナンスの実行を表す。
【００３４】
上記のようにサービス用モジュール７００を第１室外機１００の外部に引き出すことにより、サービススペースに面していない構成要素についても、従来技術に係る室外機のようにその手前にある構成要素を取り外すこと無く、メンテナンス及び／又はサービスを行うことができる。即ち、本発明に係る空気調和機の室外機は、特定の側の外部にしかサービススペースを確保することができない場合においても、高いサービス性を備える。
【００３５】
＜変形例１＞
前述したように、本発明に係る室外機の少なくとも１つの側面から当該室外機の外部へとサービス用モジュールを引き出すことを可能とする構成の１つの具体例として、当該モジュールの底部に車輪を設けた構成を挙げることができる。
【００３６】
具体的には、図８の（ａ）に示すように、サービス用モジュール７００の底面に車輪７０１を設けることにより、サービス用モジュール７００を第１室外機１００から引き出すことをより容易にすることができる。
【００３７】
＜変形例２＞
或いは、前述したように、本発明に係る室外機の少なくとも１つの側面から当該室外機の外部へとサービス用モジュールを引き出すことを可能とする構成のもう１つの具体例として、当該モジュールと当該室外機の筐体とを摺動可能に係合する摺動部材（例えば、レール等）を備える構成等を挙げることができる。
【００３８】
例えば、図８の（ｂ）に示すように、第１室外機１００の底部に配設されたスライドレール７０２の上にサービス用モジュール７００を載置することにより、サービス用モジュール７００と第１室外機１００の筐体とを摺動可能に係合させることができる。これにより、図８の（ｃ）に示すように、サービス用モジュール７００を第１室外機１００から、より容易に引き出すことができる。
【００３９】
尚、上記の例においては、摺動部材の具体例として、外側レール７０２ａ、中間レール７０２ｂ及び内側レール７０２ｃを備え、これらが互いに摺動するように構成されたスライドレール７０２を用いた。しかしながら、中間レール７０２ｂが省略され、外側レール７０２ａ及び内側レール７０２ｃのみを備える構成を有するスライドレールを用いてもよい。更に、スライドレールの配設箇所は上記に限定されるものではなく、例えば、室外機の内側面にスライドレールを配設してもよい。
【００４０】
＜変形例３＞
加えて、前述したように、上記変形例１及び変形例２の両方の特徴を兼ね備えた構成を採用することもできる。具体的には、例えば、サービス用モジュール７００の底部に車輪を設けると共に、第１室外機１００の内側面にスライドレール７０２を配設した構成を挙げることができる。これにより、第１室外機１００からサービス用モジュール７００を引き出すことを更に容易にすることもできる。
【００４１】
以上、本発明を説明することを目的として、特定の構成を有する幾つかの実施形態及び変形例につき、時に添付図面を参照しながら説明してきたが、本発明の範囲は、これらの例示的な実施形態及び変形例に限定されると解釈されるべきではなく、特許請求の範囲及び明細書に記載された事項の範囲内で、適宜修正を加えることが可能であることは言うまでも無い。
【符号の説明】
【００４２】
１００及び１００′…室外機、１０１…冷却水リザーブタンク、１０２…コンバータ、１０３…可変容量圧縮機、１０４…エンジン防振ゴム１、１０５…スタータ、１０６…冷却水ポンプ、１０７…エンジン防振ゴム２、１０８…エンジン、１０９…ドレンフィルタ、１１０…サブオイルパン、１１１…発電機ベルト、１１２…発電機、１１３…エアクリーナ、１１４…点火プラグ、１１５…サーモスタット、１１６…熱交換器、１５０及び１５０′…外装パネル、１６０…台板、３０１…ラジエータキャップ、５０１…逆止弁、５０２…オイルセパレータ、５０３…過冷却熱交換器、５０４…フィルタドライヤ（オイル戻し用）、５０５…ストレーナ（Ａ／Ｃ出口管用）、５０６…アキュムレータ、５０７…逆止弁（液管）、５０８…ファン、５０９…送風機用電動機、６０１…電気ボックス、６０２…冷媒アセンブリ、６０３…ワイヤーハーネス、６０４…端子台、７００…サービス用モジュール、７０１…車輪、並びに７０２…摺動部材（スライドレール）、７０２ａ…外側レール、７０２ｂ…中間レール及び７０２ｃ…内側レール、並びに８００…工具（レンチ）。
【図１】
2017044459.tif 000003
【図２】
2017044459.tif 000004
【図３】
2017044459.tif 000005
【図４】
2017044459.tif 000006
【図５】
2017044459.tif 000007
【図６】
2017044459.tif 000008
【図７】
2017044459.tif 000009
【図８】
2017044459.tif 000010